(57)【要約】      （修正有）【課題】充電中に蓄電池の電池残量が視認しやすい送風装置を提供する。【解決手段】送風装置は、風を送るファンと、ファンの回転動力であるファンモータと、ファンモータに電力を与える蓄電池と、本体周辺を照らす照明装置と、を備え、照明装置は蓄電池の電池残量に応じて発光状態が変化する電池残量表示モードを有する。【選択図】図１０
2014182914.tif 000002
【特許請求の範囲】
【請求項１】
風を送るファンと、
前記ファンの回転動力であるファンモータと、
前記ファンモータに電力を与える蓄電池と、
本体周辺を照らす照明装置と、
を備える送風装置において、
前記照明装置は前記蓄電池の電池残量に応じて発光状態が変化する電池残量表示モードを有することを特徴とする送風装置。
【請求項２】
前記蓄電池及び前記照明装置は前記送風装置の底部に設けられていることを特徴とする請求項１に記載の送風装置。
【請求項３】
前記照明装置を前記電池残量表示モードと前記電池残量に関係のない照明モードに切り替える操作部をさらに備えることを特徴とする請求項１または２に記載の送風装置。
【請求項４】
前記照明装置は並設した複数の発光素子を有することを特徴とする請求項１から３のうちいずれか１つに記載の送風装置。
【請求項５】
特定の時間帯を判別できる計時装置をさらに備え、
前記計時装置が夜間の時間帯と判別すると他の時間帯に比べ前記照明装置の発光量を下げることを特徴とする請求項１から５のうちいずれか１つに記載の送風装置。
【発明の詳細な説明】
【技術分野】
【０００１】
本発明は、蓄電池と照明装置を備えた送風装置に関する。
【背景技術】
【０００２】
蓄電池を備えた送風装置は、電源プラグがない場所でも蓄電池から供給できる電力によって動作するため、様々な場所に持ち運ぶ機会が増える。例えば、建設現場やアウトドアなどで屋外に持ち運ぶような場合、暗い場所でも使用する機会があるため、照明装置も備えていると利便性が高い（例えば、特許文献１を参照）。
【先行技術文献】
【特許文献】
【０００３】
【特許文献１】特開２０１３−１１２４４号公報
【発明の概要】
【発明が解決しようとする課題】
【０００４】
特許文献１に記載の送風装置は、充電用の蓄電池を取り外すことができる。また、蓄電池を送風装置に装着したまま、送風装置から充電することもできる。送風装置から充電する場合、送風装置に設けられた電源プラグを屋内のコンセントと接続させて充電することが考えられる。よって、送風装置に蓄電池の電池残量が視認しやすいことが望ましい。しかし、上述した従来の送風装置では、充電中に蓄電池の電池残量が視認できないという問題点があった。
【０００５】
本発明は、斯かる事情に鑑みてなされたものであり、充電中に蓄電池の電池残量が視認しやすい送風装置を提供することを目的とする。
【課題を解決するための手段】
【０００６】
本発明に係る送風装置は、風を送るファンと、前記ファンの回転動力であるファンモータと、前記ファンモータに電力を与える蓄電池と、本体周辺を照らす照明装置と、を備える送風装置において、前記照明装置は前記蓄電池の電池残量に応じて発光状態が変化する電池残量表示モードを有することを特徴とする。
【０００７】
本発明にあっては、既存の照明装置を用い、蓄電池の電池残量が使用者に分かるよう発光状態が変化させる。これにより、蓄電池の電池残量を視認するために新たな表示部を設ける必要がない。
【０００８】
また、本発明に係る送風装置において、前記蓄電池及び前記照明装置は前記送風装置の底部に設けられていることを特徴とする。
【０００９】
本発明にあっては、最もスペースを設けやすい底部に蓄電池と照明装置を収容させる。これにより、金属材料などにより重い蓄電池を収容しても送風装置の直立姿勢が安定し、転倒しにくい。さらに、蓄電池だけでなく、照明装置なども収容することで、空きスペースの活用となる。
【００１０】
また、本発明に係る送風装置において、前記照明装置を前記電池残量表示モードと前記電池残量に関係のない照明モードに切り替える操作部をさらに備えることを特徴とする。
【００１１】
本発明にあっては、送風装置の本体やリモートコントロールに照明ボタンを設け、照明ボタンの押圧によって、照明装置を電池残量表示モードと照明モードに切り替える。照明モードへの切り替えによって、本体周辺が照らされる程度の発光量に切り替える。これにより、使用者が照明を必要とする場合は即座に切り替えることができる。
【００１２】
また、本発明に係る送風装置において、前記照明装置は並設した複数の発光素子を有することを特徴とする。
【００１３】
本発明にあっては、複数の発光素子を一列に並べ、電池残量に応じた点灯個数や輝度、もしくは点滅など発光方法を変化させることで、蓄電池の電池残量によって動作する時間を疑似的に表すことができる。これにより、使用者が容易に蓄電池の電池残量を視認できる。
【００１４】
また、本発明に係る送風装置において、特定の時間帯を判別できる計時装置をさらに備え、前記計時装置が夜間の時間帯と判別すると他の時間帯に比べ前記照明装置の発光量を下げることを特徴とする。
【００１５】
本発明にあっては、計時装置が夜間の時間帯であることを判別した場合、他の時間帯に設定する発光素子の輝度に比べ輝度を下げることにより、使用者が睡眠場所の近辺に送風装置を置いても、眩しさによる睡眠妨害を抑制できる。さらに、省電力化が可能となる。
【発明の効果】
【００１６】
本発明によれば、蓄電池の電池残量が視認しやすい送風装置を提供することができる。また、本発明によれば、既存の照明装置を用いて蓄電池の電池残量を視認できることから、新たな表示部を設ける必要がない。
【図面の簡単な説明】
【００１７】
【図１】本実施の形態１に係る送風装置の正面図である。
【図２】本実施の形態１に係る送風装置の側面図である。
【図３】図１のＩＩＩ−ＩＩＩ線における断面図である。
【図４】図１のＩＩＩＩ−ＩＩＩＩ線における断面模式図である。
【図５】本実施の形態１に係る送風装置の制御系の構成を示すブロック図である。
【図６】本実施の形態１に係る送風装置の操作部を示す正面図である。
【図７】本実施の形態１に係る送風装置のリモートコントローラを示す正面図である。
【図８】本実施の形態１に係る送風装置が蓄電池のみで動作する場合における使用時間と出力電圧の関係を示す一例図である。
【図９】本実施の形態１に係る蓄電池の充電時間に対する出力可能電圧との関係を示す一例図である。
【図１０】本実施の形態１に係る蓄電池の電池残量に対する電池残量表示モードの一例図である。
【図１１】本実施の形態２に係る蓄電池の電池残量に対する電池残量表示モードの一例図である。
【図１２】本実施の形態３に係る蓄電池の出力可能電圧に対する電池残量表示モードと照明モードを示す一例図である。
【発明を実施するための形態】
【００１８】
〔本実施の形態１〕
以下、本発明をその実施の形態１を示す図面に基づいて具体的に説明する。
【００１９】
図１は本実施の形態１に係る送風装置１の正面図であり、図２はその側面図、図３は図１のＩＩＩ−ＩＩＩ線における断面図である。本実施の形態１に係る送風装置１は、床置き式のサーキュレータとして構成されている。図１〜図３では、送風装置１による送風方向が水平方向となる姿勢を示している。
【００２０】
送風装置１は、床や棚の上に載置されるスタンド１４、及びスタンド１４により回動可能に支持されるケーシング２０を備える。
【００２１】
スタンド１４は、照明装置４０が収容された底部１４０と、平面視で円形状に形成された台座部１４１と、この台座部１４１の中心より後方側から垂直に立設される支柱部１４２と、支柱部１４２の上側に設けられ、ファン１１及びファンモータ１２が収容されたケーシング２０を回動可能に支持するケーシング支持部１４３とを備える。ケーシング２０は、空気流を発生させるためのファン１１を駆動するファンモータ１２などを収容する。
【００２２】
ケーシング２０は、略水平方向（横方向）の回動軸１０を有し、ケーシング支持部１４３は、この回動軸１０を軸支する左右一対の軸受け部４０を備える。ケーシング２０内には、上下首振りモータ３１を備えた首振り機構部３０が設けられており、上下首振りモータ３１による駆動力を減速ギヤ３２などの複数のギヤを介して回動軸１０に伝達し、回動軸１０の回りにケーシング２０を回動させることによって、ケーシング２０を上下方向へ首振りさせ、ファン１１による送風方向を上下方向に変化させる。
【００２３】
ケーシング支持部１４３は、支柱部１４２に対して垂直方向に移動可能に構成されており、支柱部１４２に設けられたボタン１４４を操作することで、ケーシング支持部１４３を上下動させ、ケーシング２０の高さを設定することができるように構成されている。また、ケーシング支持部１４３は、支柱部１４２に対して左右方向に回動可能に軸支される。これにより、ケーシング２０の左右方向の首振りを可能とし、ファン１１による送風方向を左右方向に変化させることができる。送風装置１は、左右方向の首振りを自動で行わせるために、支柱部１４２の軸長方向の回りにケーシング支持部１４３を回動させるための左右首振りモータ１４５を備える。
【００２４】
送風装置１のファン１１は、例えば、３枚の羽根部材を備え、ファンモータ１２の出力軸１２１に取付けられる。ファンモータ１２により駆動されることによって、ファン１１は、所定方向（正面から見て時計回り）に回転し、ファンモータ１２とは反対側への空気流を発生させる。すなわち、図２に示した側面図において、ファン１１により発生する空気流は、ファン１１よりも左側へ送出されるように構成されている。以下では、送風方向の下流側をケーシング２０の前方、送風方向の上流側をケーシング２０の後方とする。
【００２５】
ケーシング２０は、ファンモータ１２及び上下方向の首振り機構部３０が設けられるモータハウジング部２１、ファン１１の外周及び後方を覆うファンガード部２２、並びにファン１１の前方を覆うカバー２３により構成される。モータハウジング部２１及びファンガード部２２は一体的に形成され、カバー２３はファンガード部２２に着脱可能に取付けられる。
【００２６】
モータハウジング部２１は、ファンモータ１２を収容する第１収容部２１１、及び首振り機構部３０を収容する第２収容部２１２を備える。また、本実施の形態１に係る送風装置１は、イオン発生装置２１３を備えており、モータハウジング部２１は、前記第１収容部２１１及び第２収容部２１２に加えて、イオン発生装置２１３を収容するための第３収容部２１４を備える。
【００２７】
第１収容部２１１は、モータハウジング部２１の前方側中央付近に設けられ、ファンモータ１２の出力軸１２１をファンガード部２２の側へ突出させる開口部２１５を備える。ファンモータ１２は、出力軸１２１が開口部２１５より前方へ突出した状態で第１収容部２１１内に固定される。
【００２８】
第２収容部２１２は、モータハウジング部２１の後方側中央付近（第１収容部２１１の後方）に設けられ、その内部に、ケーシング２０を上下方向に回動させる首振り機構部３０を収容する。ファン１１の取付側とは反対側へファンモータ１２から離隔した位置（すなわち、ファンモータ１２の後方）に、ケーシング２０の回動軸１０を配置してある。
【００２９】
第３収容部２１４は、モータハウジング部２１の前方側上部（第１収容部２１１の上側）に設けられ、その内部にイオン発生装置２１３を収容する。第３収容部２１４の前方側にはイオン送出口２１６が設けられている。イオン発生装置２１３から発生するイオンは、イオン送出口２１６を通じてファンガード部２２内に拡散し、ファン１１の回転に伴う送風流によって前方へ運ばれる。
【００３０】
ファンガード部２２は、前方側に正面視で円形状の開口縁部２２１を有し、この開口縁部２２１を通じてカバー２３が着脱可能に取付けられるように構成されている。また、ファンガード部２２の後方側には、前述したモータハウジング部２１が一体的に形成されている。ファンガード部２２の外周部及び後方部には、スリット２２２，２２３が設けられており、ファン１１の駆動時には、スリット２２２，２２３を通じてファンガード部２２の内部に装置外部の空気を取り込み、ファン１１の回転により空気流を発生させるように構成されている。
【００３１】
カバー２３は、正面視で円形状に形成されており、図１に示すように、中心から放射状に設けられる多数の風切り部材２３１，２３１，２３１，…を備える。送風装置１は、ファン１１によって前方外側へ拡散しようとする風の向きをカバー２３に設けた風切り部材２３１により変更し、送風方向の直進性を高めるように構成されている。
【００３２】
カバー２３は、ファンガード部２２の開口縁部２２１の外径より少しだけ大きな外径を有する開口縁部２３２を有する。この開口縁部２３２の内周面には複数の係止溝が周方向に形成される。また、ファンガード部２２の前方側の開口縁部２２１には、係止溝と同じ数だけの係止突起が形成される。使用者は、カバー２３側の係止溝とファンガード部２２側の係止突起とを位置合わせして、カバー２３側の係止溝をファンガード部２２側の係止突起に挿入し、カバー２３を周方向に回すことによって両者を係合させ、ファンガード部２２へのカバー２３の取付けを行う。
【００３３】
また、カバー２３は、カバー外周面の内径より小さな外径を有し、カバー外周面と対向するように設けられた環状の区画壁２３３を備える。この区画壁２３３の内径は、図１に示すように、ファン１１の外径よりも大きくなるように構成されている。ファン１１の回転によって発生する空気流は、この区画壁２３３の内側を通り、送風装置１の外部へ送出される。一方、カバー２３の嵌合部と区画壁２３３とによって形成される隙間は、送風装置１の外側からケーシング２０内部へ空気が流れ込む開口部となる。すなわち、本実施の形態１においては、ファン１１による下流方向への空気流と、装置外部から流れ込む上流方向への空気流とを区画壁２３３によって分離する構成としている。これにより、装置外部から流れ込む空気流とファン１１による下流方向への空気流との間の干渉が軽減されるので、ファン１１による送風流が弱められたり、送風方向の直進性が低下したりすることが回避される。
【００３４】
図４は図１のＩＩＩＩ−ＩＩＩＩ線における断面模式図である。底部１４０には、複数の発光素子（ＬＥＤ）４０ａ，４０ｂ，４０ｃを有する照明装置４０と、操作部１０１で得た信号などを制御する制御部４１と、外部電源から電力を取り込む電源プラグ４２と、電源プラグ４２で取り込んだ電力を蓄電する蓄電池４３と、を収容する。照明装置４０は、透明の窓材料で塞がれている。なお、一部透明や、半透明の材料でも構わない。蓄電池４３は、１本１．２Ｖから成るニッケル水素電池を１０本直列でつないだものを使用する。なお、リチウムイオン電池を使用しても構わない。
【００３５】
ニッケル水素電池やリチウムイオン電池のように金属材料を含む蓄電池４３は、送風装置１の他の材料に比べ重い。また、蓄電池４３の電池容量を増やすには、化学反応する材料の容量を増やす必要があるため、必然的に体積が大きくなる。よって、本実施の形態１に係る縦長の送風装置１では、底部１４０に蓄電池４３を収容した。これにより、送風装置１の直立姿勢が安定し、転倒しにくい。また、底部１４０の体積が大きくなっても、送風装置１の送風機能には影響しない。さらに、底部の内部スペースに照明装置４０や制御部４１、また電源プラグ４２などを収容することで、空きスペースの活用となる。
【００３６】
送風装置１の底部１４０における前方下部のスペースに照明装置４０を収容することにより、照明装置４０はフットライトとして送風装置１の周辺及び床面を照らす。これにより、屋外の暗い場所であっても、送風装置１の足元が確認できるので、使用者が送風装置１に接触して転倒するなどといった危険が防げる。
【００３７】
図５は本実施の形態１に係る送風装置の制御系の構成を示すブロック図である。送風装置１の台座部１４１には、図６の操作部１０１を備える。また、送風装置１は、図７のリモートコントローラ（以下リモコンと記載する）１０２から得た信号を受けるリモコン信号受信部１０３を台座部１４１に備える。リモコン１０２のボタンが押されると、赤外線などによりリモコン信号受信部１０３が信号を受け、制御部４１に伝達する。制御部４１は、伝達された信号をデコードする。
【００３８】
操作部１０１及びリモコン１０２には、それぞれ、送風装置１の運転開始及び停止を切り替える運転ボタン３０１，３２１と、イオン発生装置２１３の運転開始及び停止を切り替えるイオン運転ボタン３０２，３２２と、送風装置１の運転を指定時間後に停止させるタイマーボタン３０３，３２３と、送風装置１の風量を一定時間ごとに変動させるリズム風ボタン３０４，３２４と、送風装置１の風量を変化させる弱ボタン３０５，３２５及び強ボタン３０６，３２６と、送風装置１の風向きを左右にスイングさせる左右首振りボタン３０７，３２７と、送風装置１の風向きを上下にスイングさせる上下首振りボタン３０８，３２８と、底部１４０に備える照明装置４０を、本体周辺を照らす照明モードと、その他の状態（消灯または蓄電池４３の電池残量に応じて発光状態が変化する電池残量表示モード）に切り替える照明ボタン３０９，３２９と、を備える。ここで、照明モードとは、発光素子の点滅・点灯などが分かる程度の光量でなく、照明装置４０が送風装置１の本体周辺を照らす程度の光量を有するモードである。
【００３９】
送風装置１が停止している状態で運転ボタン３０１，３２１を押圧すると、送風装置１が動作状態になる。再度押圧すると、送風装置１が停止状態になる。以下のボタン操作は、送風装置１が動作状態である場合の動作を示す。
【００４０】
イオン発生装置２１３が停止している状態でイオン運転ボタン３０２，３２２を押圧すると、イオン発生装置２１３を動作させる。再度押圧すると、イオン発生装置２１３を停止させる。送風装置１がタイマー切り状態である場合にタイマーボタン３０３，３２３を押圧すると、タイマーモードとなり、タイマー表示部３１０の「１」を点灯させる。タイマー表示部３１０は、送風装置１が停止されるまでの時間を示す。タイマーボタン３０３，３２３を複数回押圧すると、タイマー表示部３１０の点灯が「２」→「４」→「６」と遷移する。さらに押圧するとタイマー切り状態に戻る。送風装置１がリズム風切り状態である場合に、リズム風ボタン３０４，３２４を押圧すると、送付装置１がリズム風モードになる。リズム風モードになると、一定時間ごとにファンモータ１２の回転数が変化するため、風量の強弱が切り替わる。再度押圧すると、リズム風切り状態に戻る。送風装置１の風量が強い状態である場合に、弱ボタン３０６，３２６を押圧すると、送風装置１から送風される風量が弱くなる。風量が弱い状態で再度押圧しても、風量は変化しない。同様に、送風装置１の風量が弱い状態である場合に、強ボタン３０７，３２７を押圧すると、送風装置１から送風される風量が強くなる。風量が強い状態で再度押圧しても、風量は変化しない。送風装置１が左右首振り状態でない場合に、左右首振りボタン３０７，３２７を押圧すると、左右首振りモードとなる。左右首振りモードでは、モータ１４５が動作することで送風装置１のケーシング２０が左右にスイングする。再度押圧すると、左右首振りモータ１４５が停止する。同様に、上下首振りボタン３０８，３２８を押圧すると、上下首振りモードとなる。上下首振りモードでは、モータ３１が動作することで送風装置１のケーシング２０が上下にスイングする。再度押圧すると、上下首振りモータ３１が停止する。
【００４１】
上記のボタン操作は、送風装置１が動作状態である場合が前提だが、照明装置４０は、送風装置１の動作状態に影響しない。例えば、送風装置１が動作状態で照明装置４０が点灯している場合に、運転ボタン３０１，３２１を押圧しても、照明装置４０は点灯状態を維持する。送風装置１の送風機能と照明機能の制御を独立にすることで、使用者の利便性が向上する。
【００４２】
照明装置４０は、消灯状態に照明ボタン３０９，３２９を押圧すると、照明モードになる。本実施の形態１に係る照明モードでは、全ての発光素子４０ａ，４０ｂ，４０ｃを点灯させる。再度押圧すると、照明モードが解除され、発光素子４０ａ，４０ｂ，４０ｃを消灯させる。照明ボタン３０９，３２９の押圧の回数で発光素子４０ａ，４０ｂ，４０ｃの輝度を変化させてもよい。
【００４３】
ここで、照明モードにおいて電源プラグ４２が外部電源に差し込まれていれば、全ての発光素子４０ａ，４０ｂ，４０ｃを最大輝度で点灯する。一方、照明モードにおいて電源プラグ４２が外部電源に差し込まれておらず、蓄電池４３のみで動作している場合では、発光素子４０ａ，４０ｂ，４０ｃの輝度を抑えて点灯させてもよい。点灯させる発光素子の個数を減らしてもよい。これにより、蓄電池４３の電池残量の消耗を抑えることが可能となる。なお、電源プラグの代わりにＵＳＢなど外部から電力を供給できる電力供給部を備えていてもよい。
【００４４】
図８は本実施の形態１に係る送風装置が蓄電池のみで動作する場合における使用時間と出力電圧の関係を示す一例図である。時刻ｔａ０は、蓄電池４３が満充電の状態を示す。      
【００４５】
制御部４１は、蓄電池４３の両端の電圧を監視して出力電圧を検知する電圧監視回路４１ａを備える。本実施の形態１に係る電圧監視回路４１ａは、定期的に出力電圧を検知する。蓄電池４３は、満充電で１４．５Ｖを出力するが、時間の経過に伴い出力電圧は低下する。時刻ｔａ１から時刻ｔａ２にかけて１２Ｖの安定出力を得るが、その後、時刻ｔａ２から出力電圧は再度低下する。制御部４１は、電圧監視回路４１ａが時刻ｔａ３で出力電圧が１０．８Ｖであることを検知すると、送風装置１を強制的に停止する。なお、例えば出力電圧が１２Ｖ以下となる時刻ｔａ２以降で、発光素子４０ａ，４０ｂ，４０ｃを点灯または点滅させることにより、電池残量が残りわずかであることを使用者に示してもよい。
【００４６】
図９は本実施の形態１に係る蓄電池の充電時間に対する出力可能電圧との関係を示す一例図であり、図１０は本実施の形態１に係る蓄電池の電池残量に対する電池残量表示モードの一例図である。
【００４７】
蓄電池４３の出力電圧が１０．８Ｖまで低下した場合において、送風装置１の電源プラグ４２を外部電源に差し込んで充電を開始した時刻をｔb０とする。充電が開始されると、照明装置４０が蓄電池４３の電池残量に応じた電池残量表示モードに切り替わる。電圧監視回路４１ａが検知した出力可能電圧がＶ１（１０．８〜１１．５Ｖ）の場合、発光素子４０ａを点滅させ、発光素子４０ｂ，４０ｃは消灯させる。検知した出力可能電圧がＶ２（１１．５〜１２．０Ｖ）の場合、発光素子４０ａを点灯させ、発光素子４０ｂ，４０ｃは消灯させる。検知した出力可能電圧がＶ３（１２．０〜１３．０Ｖ）の場合、発光素子４０ａ，４０ｂを点灯させ、発光素子４０ｃは消灯させる。検知した出力可能電圧がＶ４（１３．０〜１４．５Ｖ）の場合、発光素子４０ａ，４０ｂ，４０ｃを点灯させる。検知した出力可能電圧がＶ５（１４．５Ｖ〜）になると、満充電とみなし充電を停止させ、発光素子４０ａ，４０ｂ，４０ｃを消灯させる。このように、照明として備えた照明装置４０において、複数の発光素子４０ａ，４０ｂ，４０ｃを一列に並べ、電池残量に応じた点灯個数、もしくは点滅など発光方法を変化させることで、蓄電池４３の電池残量によって動作する時間を擬似的に表すことができる。これにより、蓄電池４３の電池残量を視認するために新たな表示部を設ける必要がなく、使用者が容易に蓄電池４３の電池残量を視認できる。なお、複数の発光素子４０ａ，４０ｂ，４０ｃを縦や斜めに並べてもよい。発光素子の輝度を変化させてもよい。各発光素子の発光色を変化させてもよく、発光色の異なる複数の発光素子を用い、点灯させる発光素子を切り替えてもよい。
【００４８】
ここで、出力可能電圧が過充電状態である１８Ｖ以上になると、発熱などの危険が伴うため、充電終了電圧の設定を最大出力可能電圧よりも下げたほうが望ましい。
【００４９】
照明装置４０が電池残量表示モードである場合に、照明ボタン３０９，３２９を押圧したときは、照明モードに切り替える。再度押圧すると、電池残量表示モードに切り替える。これにより、使用者がランプを必要とする場合に即座に切り替えることができる。
【００５０】
また、送風装置１は、日中の時間帯を計測できる計時装置１０４を備える。照明装置４０が電池残量表示モードである場合において、計時装置１０４が計測した時間帯が夜間だと判別したときは、その他時間帯に比べ発光素子４０ａ，４０ｂ，４０ｃの輝度を下げる。夜間の時間帯とは、例えば午前０時から午前７時までの間である。これにより、蓄電池４３の電池残量の消耗を抑えるだけでなく、使用者が睡眠場所の近辺に送風装置を置いても、眩しさによる睡眠妨害を抑制できる。なお、照明モードにおいて計時装置１０４が夜間の時間帯と判別したときに、発光素子４０ａ，４０ｂ，４０ｃの輝度を下げてもよい。
【００５１】
なお、本実施の形態１及び後述する実施の形態に係る発光素子４０ａ，４０ｂ，４０ｃは、発光色について限定していない。発光素子４０ａ，４０ｂ，４０ｃを全て同一発光色にしてもよく、また、ＲＧＢのＬＥＤを用い、それぞれ発光色を可変にすることで電池残量を表してもよい。また、本実施の形態に係る発光素子４０ａ，４０ｂ，４０ｃは３個だが、個数も限定していない。
〔本実施の形態２〕
図１１は本実施の形態２に係る蓄電池の電池残量に対する電池残量表示モードの一例図である。本実施の形態２に係る照明装置４０の電池残量表示モードは、充電開始時の出力可能電圧に応じた充電時間Ｔを基に切り替える。
【００５２】
例えば、送風装置１の電源プラグ４２を外部電源に差し込むと、電圧監視回路４１ａが出力可能電圧を一度検知する。検知した出力可能電圧がＶ１（１０．８〜１１．５Ｖ）であった場合、その時点から時間Ｔ１が経過するまで、図１１の時間Ｔ１に応じた電池残量表示モードにする。時間Ｔ１の経過後、電圧監視回路４１ａは、出力可能電圧を一度検知する。検知した出力可能電圧がＶ２（１１．５〜１２．０Ｖ）であれば、その時点から時間Ｔ２が経過するまで、図１１の時間Ｔ２に応じた電池残量表示モードにする。しかし、検知した出力可能電圧がまだＶ１（１０．８〜１１．５Ｖ）であったときは、出力可能電圧がＶ２（１１．５〜１２．０Ｖ）になるまで電圧監視回路４１ａの定期監視を動作させる。電圧監視回路４１ａによって検知した出力可能電圧がＶ２（１１．５〜１２．０Ｖ）になれば、電圧監視回路４１ａの定期監視を停止させ、その時点から時間Ｔ２が経過するまで、図１１の時間Ｔ２に応じた電池残量表示モードにする。時間Ｔ２の経過後、電圧監視回路４１ａは、出力可能電圧を一度検知する。検知した出力可能電圧がＶ３（１２．０〜１３．０Ｖ）であれば、その時点から時間Ｔ３が経過するまで、図１１の時間Ｔ３に応じた電池残量表示モードにする。しかし、検知した出力可能電圧がまだＶ２（１１．５〜１２．０Ｖ）であったときは、出力可能電圧がＶ３（１２．０〜１３．０Ｖ）になるまで電圧監視回路４１ａの定期監視を動作させる。電圧監視回路４１ａによって検知した出力可能電圧がＶ３（１２．０〜１３．０Ｖ）になれば、電圧監視回路４１ａの定期監視を停止させ、その時点から時間Ｔ３が経過するまで、図１１の時間Ｔ３に応じた電池残量表示モードにする。時間Ｔ３の経過後、電圧監視回路４１ａは、出力可能電圧を一度検知する。検知した出力可能電圧がＶ４（１３．０〜１４．５Ｖ）であれば、その時点から時間Ｔ４が経過するまで、図１１の時間Ｔ４に応じた電池残量表示モードにする。しかし、検知した出力可能電圧がまだＶ３（１２．０〜１３．０Ｖ）であったときは、出力可能電圧がＶ４（１３．０〜１４．５Ｖ）になるまで電圧監視回路４１ａの定期監視を動作させる。電圧監視回路４１ａによって検知した出力可能電圧がＶ４（１３．０〜１４．５Ｖ）になれば、電圧監視回路４１ａの定期監視を停止させ、その時点から時間Ｔ４が経過するまで、図１１の時間Ｔ４に応じた電池残量表示モードにする。最後に、時間Ｔ４の経過後、電圧監視回路４１ａは、出力可能電圧を一度検知する。検知した出力可能電圧がＶ５（１４．５Ｖ〜）であれば、その時点で図１１の時間Ｔ５に応じた電池残量表示モード（消灯）にする。しかし、検知した出力可能電圧がまだＶ４（１３．０〜１４．５Ｖ）であったときは、出力可能電圧がＶ５（１４．５Ｖ〜）になるまで電圧監視回路４１ａの定期監視を動作させる。電圧監視回路４１ａによって検知した出力可能電圧がＶ５（１４．５Ｖ〜）になれば、電圧監視回路４１ａの定期監視を停止させ、その時点で図１１の時間Ｔ５に応じた電池残量表示モード（消灯）にする。
【００５３】
本実施の形態２に係る処理によれば、蓄電池４３の電圧を常に定期監視する必要がない。よって、制御部の処理量を低減することができる。
【００５４】
なお、過充電状態の回避を考慮した場合、時間Ｔ３の経過後、時間Ｔ４が経過するまでの間に、電圧監視回路４１ａの定期監視を動作させたほうがよい。
〔本実施の形態３〕
図１２は本実施の形態３に係る蓄電池の出力可能電圧に対する電池残量表示モードと照明モードを示す一例図である。本実施の形態３に係る電池残量表示モードと照明モードは、発光素子の輝度値が異なるが、共に使用者が電池残量を視認できるため、利便性が向上する。
【００５５】
本実施の形態３に係る発光素子４０ａ，４０ｂ，４０ｃは、輝度値を０，１，２，３と変位できるものとする。図１２の発光素子４０ａ，４０ｂ，４０ｃを示す白丸及び黒丸内の数字は、設定された輝度値である。輝度値０が消灯状態であり、輝度値３が最大輝度による点灯または点滅状態である。
【００５６】
出力可能電圧がＶ１〜Ｖ４の場合、電池残量表示モードと照明モードは、発光素子４０ａ，４０ｂ，４０ｃの輝度値が異なるだけである。よって、照明ボタン３０９，３２９を押圧された場合は、各発光素子の輝度値を切り替えるだけであるため、設定が容易である。
【００５７】
出力可能電圧がＶ５の場合、電池残量表示モードは、充電状態が完了したことを消灯により示す。一方、照明モードは、通常の照明機能の状態に戻るため、発光素子４０ａ，４０ｂ，４０ｃの点灯を維持する。しかし、発光素子４０ａ，４０ｂ，４０ｃの点灯は出力可能電圧がＶ４の場合も同じである。そこで、出力可能電圧がＶ４での点灯状態と、出力可能電圧がＶ５での点灯状態に違いを出すため、出力可能電圧がＶ４の場合における発光素子４０ａ，４０ｂ，４０ｃの輝度値を２とし、出力可能電圧がＶ５の場合における発光素子４０ａ，４０ｂ，４０ｃの輝度値を３（最大輝度）に設定する。ここで、表示モードの違いを表すには、発光素子数の追加や、または電池残量表示モードの状態数を減らせばよい。しかし、発光素子を追加するとコスト削減の観点から好ましくない。また、電池残量表示モードの状態数を減らせば、電池残量の擬似表示の精度が落ちてしまうといった問題がある。すなわち、表示モードの違いを輝度値の変位で行うことによって、これらの問題が解決できる。
【００５８】
電池残量表示モードにおける点灯・点滅状態の発光素子は、全て輝度値を１としている。電池残量表示モードは、使用者が蓄電池の電池残量を視認できさえすればよいので、本体周辺が照らされる程度の発光量は必要ない。よって、充電中は輝度を下げても問題ないことから、省電力化が可能となる。
【００５９】
なお、本実施の形態３では、照明モードにおいても電池残量が視認できるようにしたが、本実施の形態１のように全ての発光素子４０ａ，４０ｂ，４０ｃを最大輝度で点灯させた上で、電池残量表示モードのみ輝度を小さくしてもよい。これにより、本実施の形態３と同様に、充電中は輝度を下げることができるので、省電力化が可能となる。
【００６０】
上述した全ての実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【００６１】
また、本発明の効果がある限りにおいては、送風装置１に、実施の形態に開示されていない構成要素が含まれていてもよい。
【符号の説明】
【００６２】
１  送風装置
１１  ファン
１２  ファンモータ
４０  照明装置
４０ａ，４０ｂ，４０ｃ  発光素子
４３  蓄電池
１０１  操作部
１０２  リモートコントローラ
１０４  計時装置
１４０  底部
【図１】
2014182914.tif 000003
【図２】
2014182914.tif 000004
【図３】
2014182914.tif 000005
【図４】
2014182914.tif 000006
【図５】
2014182914.tif 000007
【図６】
2014182914.tif 000008
【図７】
2014182914.tif 000009
【図８】
2014182914.tif 000010
【図９】
2014182914.tif 000011
【図１０】
2014182914.tif 000012
【図１１】
2014182914.tif 000013
【図１２】
2014182914.tif 000014